(57)【特許請求の範囲】
【請求項１】
排水立管路を形成する他の配管材の下端部が上方から差し込まれる受口を有する継手本体を備え、
筒状をした本体部と、本体部の内壁面から延出し、本体部の下端方向に向かって徐々に縮径する略ラッパ状をして前記受口に挿入される配管材の外壁面に水密に密着するリップ部とを備えるゴム輪が、前記受口内に装着された排水立管用管継手において、
前記継手本体の受口が、受口入口との間に断面略コの字形をしたリング状の嵌合凹部を形成するリング状突条を内部に備え、
前記リップ部を介してゴム輪内に入り込んだ配管材を管継手に対して正しい姿勢を保持するように配管材の外壁面を支持するゴム製の姿勢支持手段が、その上端部を前記嵌合凹部に嵌合されるとともに、その下端部を前記配管材と、前記突条との間で挟まれるようにリップ部上方に設けられていることを特徴とする排水立管用管継手。
【請求項２】
前記継手本体が、点検口となる横引き管接続部、または、配管試験口を中間部に備えている請求項１に記載の排水立管用管継手。
【請求項３】
前記ゴム輪の本体部は、下端部が前記リップ部を介して本体部内に入り込んだ他の配管材を管継手に対して正しい姿勢を保持するように配管材の外壁面を支持する複数のリブが、前記本体部の中心軸に平行かつ本体部の周方向に放射状に内壁面から突設されていて、
前記リブは、配管材の挿入方向奥側に向かって本体部の内壁面からの高さが徐々に高くなるテーパ部をその上端に備えている請求項１または請求項２に記載の排水立管用管継手。
【請求項４】
リブは、各リブの本体部内壁面からの高さの最高点を通る仮想円の径が他の配管材の下端部の外径の１０５％〜９５％となるように形成されている請求項３に記載の排水立管用管継手。
【請求項５】
姿勢支持手段がゴム輪に一体に設けられている請求項１〜請求項４のいずれかに記載の排水立管用管継手。
【発明の詳細な説明】
【技術分野】
【０００１】
本発明は、排水立管用管継手に関する。
【背景技術】
【０００２】
アパートやマンション等の集合住宅においては、トイレ・浴槽等の排水機器からの排水を横引き管にて排水立管路に導いている。排水立管路は、例えば建築物に設けられたパイプシャフト内に配置されており、そのパイプシャフト内において排水立管用パイプ同士または排水立管用パイプが管継手を介して接続されている。
【０００３】
従来、排水立管用パイプ等の配管材の接続においては、下階に設置された管継手の上部に上階より配管材を降ろして、その下端部を管継手に接続するという配管方法がとられる場合がある。
このような配管方法に用いる管継手としては、施工性を考慮して、図７に示すように、上階から下ろされる排水立管用パイプや他の管継手（図示せず）の下端部が上方から差し込まれる受口２１０を有する継手本体２００と、受口２１０内に装着され、受口２１０に差し込まれた排水立管の下端部に水密に外嵌されるゴム輪３００とを有する受口構造を備える管継手１００が用いられている（たとえば、特許文献１参照）。
【０００４】
すなわち、この管継手１００の場合、上方から下ろされる配管材の下端部を受口２１０に差し込むだけでゴム輪３００によってワンタッチで配管材と管継手１００とが水密に接続されるため、フランジ付き管継手を用いた配管方法に比べて固定ボルトの挿通孔を合わせるなどの手間がなく、接続が極めて容易であるという利点がある。
【０００５】
一方、図８および図９に示すように、排水立管路４００においては、２，３階置きあるいは各階毎に上下階の排水機器からの横枝管５００が接続される集合継手とも称される管継手１００と管継手１００との間に図１０に示すような点検口付き管継手１０１を配置して、排水立管路に詰りが生じた場合など、この点検口１０１ａを開放して排水立管路内を容易に点検清掃できるようにするとともに、施工時には、図１０に示すように、点検口１０１ａから満水試験用治具６００を点検口付き管継手１０１内に挿入し、満水試験用治具６００によって、点検口１０１ａより上方を水密に封止したのち、満水試験用治具６００より上の排水立管路４００内に水を満たし、配管材の接続部分の止水状態を確認するようにしている（たとえば、特許文献２参照）。図１０中、６１０は配管内に満たした水を抜く際にホース等を差し込んで使用するノズルである。
【０００６】
ところで、従来の点検口付き管継手１０１は、上記管継手１００と同様の受口構造とした場合、次のような問題があるため、図１０に示すように、下端側だけでなく、上端側もフランジ固定により配管材７００が接続されるようになっている。
すなわち、点検口付き管継手１０１のように、各階の床スラブＳと床スラブＳとの間に配置される管継手は、管継手１００のように床スラブＳ等に固定されていないため、管継手１００のような受口構造とした場合、排水の流下によって、排水立管路が各配管材の管継手１０１との接続部で振動し、振動により生じる騒音が大きくなる、あるいは、経時的に各配管材の管継手１０１とのシール性が損なわれたり、接続が外れたりするといった問題が生じる虞がある。
【０００７】
しかしながら、上下をフランジ接続構造とした場合、上階にいる作業者が上階から上側の配管材を点検口付き管継手１０１のところまで降ろし、下階にいる作業者が、下階でこの降ろされた配管材の下端部をフランジ接続する作業方法、あるいは、上階から上側の配管材を点検口付き管継手１０１のところまで降ろした作業者が階段等を使用して下階に下りて降ろされた配管材の下端部をフランジ接続する作業方法のいずれかを取らなければ成らず、人件費が嵩む、あるいは作業時間がかかる等の問題がある。
【０００８】
【特許文献１】特開2002-303387号公報
【特許文献２】特開平10-317448号公報
【発明の開示】
【発明が解決しようとする課題】
【０００９】
本発明は、上記事情に鑑みて、フランジ付き管継手を用いた配管方法に比べ、他の配管材との接続が容易で、しかも、排水流下によって生じる接続部での振動を低減することができる排水立管用管継手を提供することを目的としている。
【課題を解決するための手段】
【００１０】
上記目的を達成するために、本発明の請求項１に記載の排水立管用管継手（以下、「請求項１の管継手」と記す）は、排水立管路を形成する他の配管材の下端部が上方から差し込まれる受口を有する継手本体を備え、筒状をした本体部と、本体部の内壁面から延出し、本体部の下端方向に向かって徐々に縮径する略ラッパ状をして前記受口に挿入される配管材の外壁面に水密に密着するリップ部とを備えるゴム輪が、前記受口内に装着された排水立管用管継手において、前記継手本体の受口が、受口入口との間に断面略コの字形をしたリング状の嵌合凹部を形成するリング状突条を内部に備え、前記リップ部を介してゴム輪内に入り込んだ配管材を管継手に対して正しい姿勢を保持するように配管材の外壁面を支持するゴム製の姿勢支持手段が、その上端部を前記嵌合凹部に嵌合されるとともに、その下端部を前記配管材と、前記突条との間で挟まれるようにリップ部上方に設けられていることを特徴としている。
【００１１】
本発明の請求項２に記載の排水立管用管継手（以下、「請求項２の管継手」と記す）は、前記継手本体が、点検口となる横引き管接続部、または、配管試験口を中間部に備えていることを特徴としている。
【００１２】
本発明の請求項３に記載の排水立管用管継手（以下、「請求項３の管継手」と記す）は、請求項１または請求項２の管継手において、前記ゴム輪の本体部は、下端部が前記リップ部を介して本体部内に入り込んだ他の配管材を管継手に対して正しい姿勢を保持するように配管材の外壁面を支持する３本以上のリブが、前記本体部の中心軸に平行かつ本体部の周方向に放射状に内壁面から突設されていて、
前記リブは、配管材の挿入方向奥側に向かって本体部の内壁面からの高さが徐々に高くなるテーパ部をその上端に備えていることを特徴としている。
【００１３】
本発明の請求項４に記載の排水立管用管継手（以下、「請求項４の管継手」と記す）は、請求項３の管継手において、リブを、各リブの本体部内壁面からの高さの最高点を通る仮想円の径が他の配管材の下端部の外径の１０５％〜９５％となるように形成したことを特徴としている。
【００１４】
本発明の請求項５に記載の排水立管用管継手において、（以下、「請求項５の管継手」と記す）は、請求項１〜請求項４のいずれかの管継手において、姿勢支持手段がゴム輪に一体に設けられていることを特徴としている。
【発明の効果】
【００１５】
請求項１〜請求項５の排水立管用管継手は、リップ部を介してゴム輪内に入り込んだ配管材を管継手に対して正しい姿勢を保持するように配管材の外壁面を支持する姿勢支持手段が前記受口内のリップ部より上方に設けられているので、従来のワンタッチ接続可能な管継手と同様に上方から上方の配管材の下端部を受口内に挿入すれば、配管材の下端部の外壁面がリップ部だけでなく、その上方の姿勢支持手段によっても支持されるため、排水による振動を抑止することができる。したがって、排水流下時の騒音を低減することができるとともに、振動によって各配管材の管継手との接続部でシール不良を起こしたり、接続が外れたりする事故をなくすことができる。しかも、常に、配管材を管継手に正しい姿勢でワンタッチに接続することができる。
【発明を実施するための最良の形態】
【００１６】
以下に、本発明を、その実施の形態をあらわす図面を参照しつつ詳しく説明する。
図１は、排水立管用管継手の参考例をあらわしている。
【００１７】
図１に示すように、この管継手１ａは、継手本体２ａと、ゴム輪３とを備えている。
継手本体２ａは、鋳鉄や合成樹脂で形成されていて、上端部に受口２１、中間部にフランジ２２ａを有する点検口２２、下端部にフランジ２３ａを有する管接続部２３を備えている。
【００１８】
受口２１は、後述するゴム輪３の装着部２１ａを有するとともに、この装着部２１ａより上方に３つのねじ孔２１ｂが継手本体２ａの中心軸に向かって放射状に穿設されていて、図示していないが、各ねじ孔２１ｂに継手本体２ａの外側から蝶ねじが螺合している。
ゴム輪３は、スチレン−ブタジエンゴム（ＳＢＲ）やクロロプレンゴム（ＣＲ）、エチレン−プロピレンゴム（ＥＰＤＭ）等の合成ゴムによって形成されていて、図２に示すように、本体部３１と、リップ部３２と、管端受け部３３とを備えている。
【００１９】
本体部３１は、その内径が一端（リップ部３２側）の大内径部３１ａから第１縮径部３１ｂ、第２縮径部３１ｃを経て他端（管端受け部３３）の小内径部３１ｄまで段階的に縮径する筒状をしている。
小内径部３１ｄは、その内径が受口２１に挿入される他の配管材の下端部の外径より少し大径になっている。
【００２０】
また、第２縮径部３１ｃの下端部から小内径部３１ｄの下端にかけて配管材の挿入時のガイドとなる本体部３１の中心軸に平行な３６本のリブ３４が等間隔で放射状に設けられている。
各リブ３４は、その高さが、各リブ３４の最高点を通る仮想円の径が受口２１に挿入される他の配管材の下端部の外径の１０５％〜９５％となり、その幅が０．１ｍｍ〜２０ｍｍとなっている。
【００２１】
また、本体部３１は、一端部３１ｅの外径が他端部３１ｆの外径より大径になっているとともに、一端部３１ｅの外周面に受口２１に装着された状態で受口２１との水密性を高めるため３条のリブ３１ｇが突設されている。
【００２２】
リップ部３２は、本体部３１の一端から他端に向かって徐々に小径化するロート状になっていて、その最小径部の内径が受口２１に挿入される他の配管材の下端部の外径より小径になっている。
【００２３】
管端受け部３３は、本体部３１の他端で本体部３１の内側に向かって全周にわたって内側に均等に張り出していて、その内径が受口２１に挿入される他の配管材の下端部の外径より小さく、他の配管材の下端部の内径より少し大きいかほぼ同径になっている。
点検口２２は、通常蓋が取り付けられ、立管路に詰り等が生じた場合、蓋を取り外して立管路内を点検清掃できるようになっているが、横枝管の接続用として用いても構わない。  
この管継手１ａは、上記のようになっており、以下のようにして、上方から排水立管路を形成する他の配管材が接続されるようになっている。
【００２４】
すなわち、各蝶ねじをその先端が受口２１の内壁面に突出しない程度にねじ孔２１ｂに螺合した状態で管継手１ａをパイプシャフト（図示せず）内の所定階にセットしたのち、上階から排水立管を降ろして、他の配管材の下端部をゴム輪３のリップ部３２を押し広げつつ、管端受け部３３にほぼ当たるまで管継手１ａの受口２１に挿入する。
その後、ねじ先端が他の配管材の下端部の外壁面に当接するまで各蝶ねじを締め込み、接続を完了する。
【００２５】
以上のように、この管継手１ａによれば、従来のワンタッチ式管継手と同様に、上方から他の配管材の下端部を受口２１内に挿入すれば、他の配管材の下端部が受口２１内のゴム輪３内に嵌り込み他の配管材と管継手１ａとがワンタッチで水密に接続できる。
しかも、継手本体２ａが、ゴム輪３の上端より上方に、継手本体２ａの内外に貫通する３つのねじ孔２１ｂを継手本体２ａの周方向に放射状に備えているので、配管材の下端部を受口２１の所定位置まで挿入したのち、継手本体の外側から蝶ねじを締め込み、その先端を配管材の下端部外壁面に圧接するようにすれば、配管材の下端部と継手本体とがしっかりと固定され、排水による接続部での振動を防止できる。
また、ゴム輪３が、本体部３１の中心軸に平行な３６本のリブ３４を小内径部３１ｄの内壁面に放射状に備えているので、配管材の下端部がリブに引っかかることなく、リブ３４にガイドされながら本体部３１内に嵌合される。したがって、常に、配管材を管継手１aに正しい姿勢でワンタッチに接続することができる。
【００２６】
上記管継手１ａにおいて、ねじ孔の数は、特に限定されないが、３つ以上が好ましい。  また、ねじ孔には、予め蝶ねじ、六角ねじ（ボルト）、プラスねじ、マイナスねじ、ホーローセット等のねじが、継手本体の外側から内側に向かって螺合された状態でセットされていても構わない。
【００２７】
図３は、排水立管用管継手の第２の参考例をあらわしている。
図３に示すように、この管継手１ｂは、点検口２２に代えて、継手本体２ｂに掃除口および耐水試験兼用の点検口２４が設けられている以外は、上記管継手１ａと同様になっている。
すなわち、この管継手１ｂは、点検口２４の蓋を取り外せば、立管路内を点検清掃できるだけでなく、図１０に示すような満水試験用治具６００を内部にセットできるようになっている以外は、上記管継手１ａと同様になっている。
【００２８】
図４は、本発明にかかる排水立管用管継手の第１の実施の形態をあらわしている。
図４に示すように、この管継手１ｃは、継手本体２ｃの上端に受口２５、下端にフランジ２３ａ、中間に上記管継手１ｂと同様の点検口２４が設けられている。
そして、この管継手１ｃは、受口２５内に、上記管継手１ａ，１ｂと同様のゴム輪３が装着されるとともに、ゴム輪３の上方に姿勢支持手段としての振れ止めパッキン５が装着されている。
【００２９】
振れ止めパッキン５は、ゴム輪３と同様のゴム弾性体で形成されていて、上端側に、リング状の嵌合部５１を有し、この嵌合部５１からリングの内側下方に向かってに徐々に縮径する略ラッパ状をした振れ止め部５２を備えている。
また、受口２５は、図４に示すように、受口入口２７との間にリング状の嵌合凹部２９を形成するリング状突条２８を内部に備えている。
そして、嵌合凹部２９には、振れ止めパッキン５の上端部であるリング状の嵌合部５１が嵌合し、振れ止め部５２がリング状突条２８を臨むように配置されている。
【００３０】
振れ止め部５２は、受口２５に配管材が挿入されると、受口２５の内壁面に沿うように変形して、ゴム輪３内に入り込んだ配管材を管継手１ｃに対して正しい姿勢を保持するようになっていて、受口２５の内壁面に振れ止め部５２の壁面が完全に密着した状態で、振れ止め部５２の内径が配管材の挿入部外径と略一致する径となる肉厚になっている。
【００３１】
この管継手１ｃは、上記のように、姿勢支持手段としての振れ止めパッキン５を受口２５内のゴム輪３上方に備えているので、受口２５内に挿入された配管材の下端部が、ワンタッチでゴム輪３と振れ止めパッキン５とによって支持される。
したがって、配管材の下端部と管継手１ｃとがしっかりと固定され、排水による接続部での振動を防止できるとともに、配管材が正しい姿勢に保持される。
また、振れ止めパッキン５が、受口２５の内壁面に振れ止め部５２の壁面が完全に密着した状態で、振れ止め部５２の内径が挿入される配管材の挿入部外径と略一致する径となる肉厚になっているので、配管材を挿入する際にはそれほど大きな抵抗がなく、スムーズに配管材を受口２５の所定位置まで挿入することができる。
【００３２】
図５は、本発明にかかる排水立管用管継手の第２の実施の形態をあらわしている。
図５に示すように、この管継手１ｄは、継手本体２ｄの上端に受口２６、下端にフランジ２３ａ、中間に上記管継手１ｂ，１ｃと同様の点検口２４が設けられ、ゴム輪本体部３０と、姿勢支持手段としての筒状部３５とが一体成形されているゴム輪３ａが受口２６内に装着されている。
【００３３】
また、この管継手１ｄは、図５に示すように、上記管継手１ｃと同様に、受口２６が、受口入口２７との間に断面略コ字形をしたリング状の嵌合凹部２９を形成するリング状突条２８を内部に備えている。
そして、筒状部３５の上端部が、嵌合凹部２９に嵌合している。
【００３４】
ゴム輪本体部３０は、上記管継手１ａ，１ｂ，１ｃのゴム輪３と略同形状をしている。
筒状部３５は、その内径が挿入される配管材の挿入部外径と略一致する径となっている。
【００３５】
この管継手１ｄは、上記のように、ゴム輪３ａが、姿勢支持手段としての筒状部３５をゴム輪本体３０の上方に備えているので、受口２６内に挿入された配管材の下端部が、ワンタッチでゴム輪３ａのリップ部３２と筒状部３５とによって支持される。
したがって、配管材の下端部と管継手１ｄとがしっかりと固定され、排水による接続部での振動を防止できるとともに、配管材が正しい姿勢に保持される。
また、筒状部３５の内径が挿入される配管材の挿入部外径と略一致する径となっているので、配管材を挿入する際にはそれほど大きな抵抗がなく、スムーズに配管材を受口２６の所定位置まで挿入することができる。
【００３６】
以下に、本発明の具体的な実施例を詳しく説明する。
【００３７】
（比較例１）
各部の寸法が図６に示すとおりであるとともに、リブ３４の本数が１２本、リブ３４の長さが１５ｍｍ、リブ３４の幅が３０ｍｍ、リブ３４の高さが各リブ３４の最高点を通る仮想円の径が８８．５ｍｍとなるようにリブ３４が形成されたゴム輪３を備えた従来の集合管継手１と、図３に示すような管継手１ｂと、８０Ａの一端フランジ付直管（外径８９．１ｍｍ）５とを用いて試験用排水立管路Ａを作製した。図６中、Ｓは床スラブである。
また、各蝶ねじは、その先端が直管５の外壁面に圧接されるまで締め込んでおいた。
【００３８】
（実施例１）
管継手１ｂに代えて、図４に示す管継手１ｃを用いた以外は、上記比較例１と同様にして図６に示す試験用排水立管路Ａを作製した。
【００３９】
（実施例２）
管継手１ｂに代えて、図５に示す管継手１ｄを用いた以外は、上記比較例１と同様にして図６に示す試験用排水立管路Ａを作製した。
【００４０】
（比較例２）
蝶ねじを締め込まなかった以外は、上記参考例１と同様に試験排水立管路Ａを作製した。
（比較例３）
振れ止めパッキンを取り除いた管継手１ｃを用いた以外は、上記実施例２と同様に試験排水立管路Ａを作製した。
【００４１】
上記実施例１，２および比較例１〜３で作製した試験排水立管路Ａの管継手１ｂ（１ｃ，１ｄ）部分に水平方向に手で加重をかけたときの試験排水立管路の水平方向への振れ幅と、上記実施例１，２および比較例１〜３で作製した試験排水立管路に７．５Ｌ／ｓの流下速度で排水を流した場合の振動値を測定し、その結果を表１に示した。なお、振動値は、管継手１ｂの上端から２０ｃｍ上方において、直管５の外壁面に振動ピックアップ（リオン社製圧電式加速ピックアップＰＶ−８５）を取り付け、振動計（リオン社製１／３オクターブ実時間分析器ＳＡ−２０）を用いて測定した。
【００４２】
【表１】
0004933882.tif 000002
【００４３】
本発明にかかる排水立管用管継手は、上記の実施の形態に限定されない。たとえば、上記の実施の形態では、ゴム輪の小内径部にリブが設けられていたが、受口に挿入される他の配管材と、管継手との軸が一致するように他の配管材の下端部を支持できれば、無くても構わないし、周方向に環状にリブを設けるようにしても構わない。
また、上記管継手１ｄでは、姿勢支持手段として筒状部を設けていたが、筒状部に代えて、頂点を結ぶ仮想線が筒状部内径と略同じ径となる円形を形成するように多数の突起を受口内に設けるようにしても構わない。
【図面の簡単な説明】
【００４４】
【図１】本発明にかかる管継手の第１の実施の形態をあらわし、同図（ａ）はその正    面図、同図（ｂ）は同図（ａ）のＩ−Ｉ線断面図、同図（ｃ）は同図（ａ）のII−II線断面図、同図（ｄ）は同図（ｂ）のIII−III線断面図である。
【図２】図１の管継手のゴム輪をあらわし、同図（ａ）はその縦断面図、同図（ｂ）    は同図（ａ）のIV−IV線断面図である。
【図３】本発明にかかる管継手の第２の実施の形態をあらわし、同図（ａ）はその正    面図、同図（ｂ）は同図（ａ）のＶ−Ｖ線断面図、同図（ｃ）は同図（ａ）のVI−VI線断面図、同図（ｄ）は同図（ｂ）のVII−VII線断面図である。
【図４】本発明にかかる管継手の第３の実施の形態をあらわす一部切欠断面図である。
【図５】本発明にかかる管継手の第４の実施の形態をあらわす一部切欠断面図である。
【図６】実施例で作製した試験排水立管路の各部の寸法図である。
【図７】従来の管継手の受口部断面図である。
【図８】排水立管路の1例を説明する説明図である。
【図９】点検口付き管継手を組み込んだ排水立管路の１例を示す概略図である。
【図１０】満水試験の方法を説明する断面図である。
【符号の説明】
【００４５】
Ａ  排水立管路
１，１ａ，１ｂ，１ｃ，１ｄ  管継手
２ａ，２ｂ  継手本体
２１，２５，２６  受口
２１ｂ  ねじ孔
２７  受口入口
２８  リング状突条
２９  嵌合凹部
３５  筒状部（姿勢支持手段）
５  振れ止めパッキン（姿勢支持手段）
【図１】
0004933882.tif 000003
【図２】
0004933882.tif 000004
【図３】
0004933882.tif 000005
【図４】
0004933882.tif 000006
【図５】
0004933882.tif 000007
【図６】
0004933882.tif 000008
【図７】
0004933882.tif 000009
【図８】
0004933882.tif 000010
【図９】
0004933882.tif 000011
【図１０】
0004933882.tif 000012